(57)【要約】【課題】擬似的な演出であっても、リアリティが高く躍動感が豊かなものにできる演出装置を提供すること。【解決手段】演出装置１は、表面に螺旋状の凹凸５０ｃが形成された透明または半透明な回転体５０と、回転体５０を螺旋の基端側から先端側に向けて回転体５０の端部５０ａを照射させた照射体６０とを備えている。【選択図】図７
2017169668.tif 000002
【特許請求の範囲】
【請求項１】
表面に螺旋状の凹凸が形成された透明または半透明な回転体と、
回転体を螺旋の基端側から先端側に向けて回転体の端部を照射させた照射体と、を備えた演出装置。
【請求項２】
請求項１に記載の演出装置であって、
回転体は、拡散シートによって覆われている演出装置。
【発明の詳細な説明】
【技術分野】
【０００１】
本発明は、演出装置に関する。
【背景技術】
【０００２】
従来、擬似的な演出を行うことができる演出装置が既に知られている。ここで、下記特許文献１には、演出が擬似的な炎（ローソクの炎）となっている演出装置が開示されている。これにより、火が使えない場所でも炎の演出を施すことができる。
【先行技術文献】
【特許文献】
【０００３】
【特許文献１】特開２０１２−１８２０５５号公報
【発明の概要】
【発明が解決しようとする課題】
【０００４】
しかしながら、上述した特許文献１の技術では、擬似的な演出であるため、演出にリアリティが低く躍動感が乏しかった。
【０００５】
本発明は、このような課題を解決しようとするもので、その目的は、擬似的な演出であっても、リアリティが高く躍動感が豊かなものにできる演出装置を提供することである。
【課題を解決するための手段】
【０００６】
本発明は、上記の目的を達成するためのものであって、以下のように構成されている。
請求項１に記載の発明は、表面に螺旋状の凹凸が形成された透明または半透明な回転体と、回転体を螺旋の基端側から先端側に向けて回転体の端部を照射させた照射体とを備えた演出装置である。
【０００７】
請求項１の発明によれば、回転体の外周面から発せられた光を回転体の回転に伴って、例えば、本物の炎のように揺らいで見せることができる。したがって、例えば、炎の演出が擬似的であっても、リアリティが高く躍動感が豊かなものにできる。
【０００８】
また、請求項２に記載の発明は、請求項１に記載の演出装置であって、回転体は、拡散シートによって覆われている。
【０００９】
請求項２の発明によれば、回転体の外周面から発せられた光を回転体の回転に伴って拡散させて見せることができる。したがって、例えば、炎の演出が擬似的であっても、リアリティの高さ躍動感の豊かさを高めることができる。
【図面の簡単な説明】
【００１０】
【図１】実施例１に係る演出装置の正面図である。
【図２】図１の演出装置の左側面図である。
【図３】図１の演出装置の右側面図である。
【図４】図１の演出装置の上面図である。
【図５】図１の演出装置の下面図である。
【図６】図１の演出装置の斜視図である。
【図７】図６の演出装置の分解図である。
【図８】図７の演出装置の回転体の縦断面図である。
【図９】図１の演出装置の電気的な構成を示すブロック図である。
【図１０】実施例２に係るパチンコ機の正面図である。
【図１１】図１０のパチンコ機の斜視図である。
【図１２】図１１の分解図である。
【図１３】図１２の演出部材の拡大図である。
【図１４】図８の回転体の変形例（変形例１）である。
【図１５】図８の回転体の変形例（変形例２）である。
【図１６】図１３の演出装置の変形例である（変形例３）。
【図１７】図１３の演出装置の変形例（変形例４）である。
【発明を実施するための形態】
【００１１】
以下、本発明を実施するための形態を、図面を用いて説明する。
（実施例１）
まず、図１〜９を参照して、本発明の実施例１を説明する。はじめに、実施例１に係る演出装置１の構成を説明する。この演出装置１は、主として、第１のベース１０と、第２のベース２０と、補助ベース３０と、モータ４０と、回転体５０と、第１の照射体６０と、第２の照射体７０、円状カバー８０、拡散シート８２とから構成されている。以下に、これら第１のベース１０と、第２のベース２０と、補助ベース３０と、モータ４０と、回転体５０と、第１の照射体６０と、第２の照射体７０、円状カバー８０、拡散シート８２とを個別に説明していく。
【００１２】
はじめに、第１のベース１０から説明する。この第１のベース１０は、略矩形に形成されたプレート状の部材から構成されている。この第１のベース１０の上面１０ａには、後述する回転体５０の一端５０ａを回転可能に受けるガイド１２が形成されている。また、この第１のベース１０には、ガイド１２に形成されている開口１２ａに対向するように、その厚み方向を貫通する貫通孔１０ｂが形成されている。この第１のベース１０には、後述する制御装置９０（図１〜７において、図示しない）が組み付けられている。
【００１３】
次に、第２のベース２０を説明する。この第２のベース２０は、第１のベース１０に対向するように、略矩形に形成されたプレート状の部材から構成されている。この第２のベース２０には、後述する補助ベース３０に形成されている貫通孔３０ｂに対向するように、その厚み方向を貫通する貫通孔２０ａが形成されている。
【００１４】
次に、補助ベース３０を説明する。この補助ベース３０は、第２のベース２０に対向するように、略矩形に形成されたプレート状の部材から構成されている。この補助ベース３０の下面３０ａには、後述する回転体５０の他端５０ｂを回転可能に受けるガイド３２が形成されている。また、この補助ベース３０には、ガイド３２に形成されている開口３２ａに対向するように、その厚み方向を貫通する貫通孔３０ｂが形成されている。
【００１５】
次に、モータ４０を説明する。このモータ４０は、後述する回転体５０を回転させるための駆動源である。このモータ４０は、後述する制御装置９０に対して電気的に接続されている。
【００１６】
次に、回転体５０を説明する。この回転体５０は、その外周面に螺旋状の突起（凹凸）５０ｃが形成された中空部５０ｄを有する透明または半透明な略円筒状の部材から構成されている。この螺旋は、回転体５０の一端５０ａ側から他端５０ｂ側に向けて形成されている。この回転体５０の他端５０ｂには、外周面にギヤ５２ａを有する歯車５２が２本のビスＢ１を介して固着されている。
【００１７】
次に、第１の照射体６０を説明する。この第１の照射体６０は、貫通孔６２ａを有し、略矩形に形成されたプレート状のベース６２と、このベース６２の貫通孔６２ａの縁に均等に配置された複数（この実施例１では、６個）の光源６２ｂとから構成されている。この各光源６２ｂは、例えば、フルカラーＬＥＤから構成されている。この各光源６２ｂは、制御装置９０に対して電気的にそれぞれ接続されている。この実施例１では、この各光源６２ｂは、常時、制御装置９０によって黄色に点灯可能となっている（以下において、このことを、第１の点灯制御と記す）。この第１の照射体６０が、特許請求の範囲に記載の「照射体」に相当する。
【００１８】
次に、第２の照射体７０を説明する。この第２の照射体７０は、略矩形に形成されたプレート状のベース７２と、このベース７２の長手方向に沿って均等に配置された複数（この実施例１では、１４個）の光源７２ａとから構成されている。この各光源７２ａも、例えば、フルカラーＬＥＤから構成されている。この各光源７２ａは、制御装置９０に対して電気的にそれぞれ接続されている。
【００１９】
この実施例１では、この各光源７２ａは、常時、制御装置９０によって赤色に点灯可能となっており（以下において、このことを、第２の点灯制御と記す）、且つ、所定の時間（例えば、１００ｍｓｅｃ）ごとに、制御装置９０によって下側の光源７２ａから上側の光源７２ａへと順番に黄色に点灯可能となっている（以下において、このことを、第３の点灯制御と記す）。このとき、光源７２ａは単数であっても複数（例えば、上下に隣り合う３個）であっても構わない。
【００２０】
次に、円状カバー８０を説明する。この円状カバー８０は、略透明に形成されたパイプ状の部材から構成されている。この円状カバー８０の一端８０ａは、第１のベース１０のガイド１２に載せられ可能となっている。また、この円状カバー８０の他端８０ｂは、補助ベース３０のガイド３２を載せ可能となっている。
【００２１】
最後に、拡散シート８２を説明する。上述した第１の照射体６０の各光源６２ｂや第２の照射体７０の各光源７２ａから発せられた光を屈折させるためのシート状の部材から構成されている。この拡散シート８２は、第１のベース１０のガイド１２と補助ベース３０のガイド３２とを跨ぐように円状カバー８０の外周面に貼り付け可能となっている。
【００２２】
次に、これら第１のベース１０と、第２のベース２０と、補助ベース３０と、モータ４０と、回転体５０と、第１の照射体６０と、第２の照射体７０、円状カバー８０、拡散シート８２とから構成される演出装置１の組み立て作業の手順の一例を説明する。
【００２３】
まず、第１のベース１０の下面１０ｃに２本のビスＢ２を介して第１の照射体６０のベース６２を組み付ける作業を行う。このように組み付けると、この第１のベース１０の貫通孔１０ｂの軸芯と第１の照射体６０のベース６２の貫通孔６２ａの軸芯とが一致することとなる。次に、第１のベース１０のガイド１２の内側に回転体５０の一端５０ａを挿し込む作業を行う。
【００２４】
次に、第２のベース２０の上面２０ｂに２本のビスＢ３を介してモータ４０を組み付ける作業を行う。このとき、このモータ４０の駆動軸４０ａは、この第２のベース２０に形成されているモータ孔２０ｃに貫通するように組み付け作業を行っている。次に、第２のベース２０に貫通させたモータ４０の駆動軸４０ａにビスＢ４を介してギヤ４２ａを有する歯車４２を組み付ける作業を行う。
【００２５】
この歯車４２のギヤ４２ａは、後述するように補助ベース３０のガイド３２の内側に回転体５０の他端５０ｂを挿し込む作業を行うと、歯車５２のギヤ５２ａに噛み合い可能となっている。次に、第２のベース２０の下面２０ｄに３本のビスＢ５を介して補助ベース３０を組み付ける作業を行う。次に、第１のベース１０のガイド１２に円状カバー８０の一端８０ａを載せる作業を行う。これにより、回転体５０が円状カバー８０によって覆われることとなる。次に、補助ベース３０のガイド３２の内側に回転体５０の他端５０ｂを挿し込む作業を行う。
【００２６】
これと同時に、補助ベース３０のガイド３２を円状カバー８０の他端８０ｂに載せる作業を行う。次に、歯車５２の円筒部５２ｂに２本のビスＢ６を介してフランジ５４を組み付ける作業を行う。次に、第１のベース１０と第２のベース２０とを橋渡すように２本のビスＢ７を介して第２の照射体７０を組み付ける作業を行う。最後に、円状カバー８０の外周面に拡散シート８２を貼り付ける作業を行う。これにより、回転体５０が拡散シート８２によって覆われることとなる。これらの作業によって演出装置１が組み立てられる。
【００２７】
続いて、上述した演出装置１の動作を説明する。上述した第１の点灯制御を行うと、第１の照射体６０の各光源６２ｂから発せられた黄色の光が回転体５０の一端５０ａ側から他端５０ｂ側に向けて内部に入り込む（黄色の光が回転体５０の内部を上昇する）。この記載が、特許請求の範囲に記載の「回転体を螺旋の基端側から先端側に向けて回転体の端部を照射させた照射体」に相当する。すると、この内部に入り込んだ黄色の光が回転体５０の外周面から発せられる。
【００２８】
この外周面には、既に説明したように、螺旋状の突起（凹凸）５０ｃが形成されている。そのため、この外周面から発せられた黄色の光を回転体５０の回転に伴って本物の炎のように揺らいで見せることができる。したがって、炎の演出が擬似的であっても、リアリティが高く躍動感が豊かなものにできる。
【００２９】
また、回転体５０が拡散シートによって覆われることとなっている。そのため、回転体５０の外周面から発せられた黄色の光を回転体５０の回転に伴って拡散させて見せることができる。したがって、炎の演出が擬似的であっても、リアリティの高さ躍動感の豊かさを高めることができる。
【００３０】
なお、この第１の点灯制御と共に、第２の点灯制御も行われている。これにより、回転体５０の外周面から発せられる黄色の光に第２の照射体７０の光源７２ａから発せられた赤色の光を含ませることができる。そのため、回転体５０の外周面から発せられる黄色の光において、この回転体５０の下側より上側に赤みを多く含ませることができる。したがって、この外周面から発せられた黄色の光を回転体の回転に伴って本物の炎のようにより揺らいで見せることができる。結果として、炎の演出が擬似的であっても、リアリティの高さ躍動感の豊かさをより高めることができる。
【００３１】
また、この第２の点灯制御と共に、第３の点灯制御も行われている。これにより、回転体５０の外周面から発せられる黄色の光を上側に向けて動きを持たせたものにできる。そのため、この外周面から発せられた黄色の光を回転体の回転に伴って炎が上昇するようにリアルに見せることができる。したがって、炎の演出が擬似的であっても、リアリティの高さ躍動感の豊かさをさらに高めることができる。
【００３２】
（実施例２）
次に、図１０〜１３を参照して、本発明の実施例２を説明する。この実施例２は、既に説明した実施例１の演出装置１を遊技機１０１に適用した形態である。この実施例２に係る遊技機１０１の全体構成を説明する。なお、遊技機１０１の例としてパチンコ機１０１を説明することとする。
【００３３】
このパチンコ機１０１は、図１０〜１２に示すように、主として、パチンコホールにおける遊技島のベース（いずれも図示しない）に組み付けられる外枠１０２と、この外枠１０２に対して開閉可能にヒンジ結合される内枠１０３と、この内枠１０３に対して組み付けられる遊技盤ユニット１０４と、この内枠１０３に対して開閉可能にヒンジ結合されるガラス枠１０５とから構成されている。
【００３４】
この遊技盤ユニット１０４は、遊技盤１０４ａと、この遊技盤１０４ａの裏面に組み付けられる演出部材１０４ｂとから構成されている。この演出部材１０４ｂは、ケース１１０と、このケース１１０の凹面１１２に組み付けられた演出装置１とから構成されている（図１３参照）。このケース１１０の凹面１１２には、その板厚を貫通するように矩形の開口１１４が形成されている。
【００３５】
また、この凹面１１２の裏面側には、開口１１４を塞ぐように液晶モニタ１１６が組み付けられている。この液晶モニタ１１６により、例えば、大当たりの抽選結果の図柄を表示できる。なお、演出装置１は、この図１３から明らかなように、ケース１１０の凹面１１２において、液晶モニタ１１６の下側に横向きに組み付けられている。遊技機１０１は、このように構成されている。このように構成されていると、遊技機１０１において、実施例１で説明した演出装置１の演出を施すことができる。そのため、遊技機１０１の興趣性を高めることができる。
【００３６】
上述した内容は、あくまでも本発明の一実施の形態に関するものであって、本発明が上記内容に限定されることを意味するものではない。
【００３７】
また、各実施例では、演出装置１の演出が炎である形態を説明した。しかし、これに限定されるものでなく、例えば、滝、水、煙、竜巻等であっても構わない。滝や水の場合、各照射体６０、７０の光源６２ｂ、７２ａから発せられる光が青や白となる。
また、演出装置１の配置が上下に逆となる。また、煙や竜巻の場合、各照射体６０、７０の光源６２ｂ、７２ａから発せられる光が灰色や白となる。
【００３８】
各実施例では、演出装置１において、回転体５０が１本である形態を説明した。しかし、これに限定されるものでなく、回転体５０は何本であっても構わない。また、各実施例では、回転体５０において、その外周面に螺旋状の突起（凹凸）５０ｃが形成されている形態を説明した。しかし、これに限定されるものでなく、回転体５０そのものが不規則に捻れていても構わない。
【００３９】
また、各実施例で説明した演出装置１の組み立て作業は、この手順に限定されるものでなく、適宜に変更しても構わない。
【００４０】
また、各実施例では、回転体５０として、略円筒状の部材を説明した。すなわち、回転体５０の内部の中空部５０ｄが、略均等に形成されている形態を説明した。しかし、これに限定されるものでなく、図１４に示すように、回転体５０の内部の中空部５０ｄが、先細り状に形成されている形態でも構わない（変形例１）。また、図１５に示すように、回転体５０が中空部５０ｄを備えることなく、中実であっても構わない（変形例２）。
【００４１】
また、実施例２では、演出装置１は、ケース１１０の凹面１１２において、液晶モニタ１１６の下側に横向きに組み付けられている形態を説明した。しかし、これに限定されるものでなく、図１６に示すように、演出装置１は、ケース１１０の凹面１１２において、液晶モニタ１１６の上側に横向きに組み付けられている形態でも構わない（変形例３）。また、これに限定されるものでなく、図１７に示すように、演出装置１は、ケース１１０の凹面１１２において、液晶モニタ１１６の左側に上向きに組み付けられている形態でも構わない（変形例４）。
【符号の説明】
【００４２】
１      演出装置
５０    回転体
５０ｃ  突起（凹凸）
６０    第１の照射体（照射体）
【図１】
2017169668.tif 000003
【図２】
2017169668.tif 000004
【図３】
2017169668.tif 000005
【図４】
2017169668.tif 000006
【図５】
2017169668.tif 000007
【図６】
2017169668.tif 000008
【図７】
2017169668.tif 000009
【図８】
2017169668.tif 000010
【図９】
2017169668.tif 000011
【図１０】
2017169668.tif 000012
【図１１】
2017169668.tif 000013
【図１２】
2017169668.tif 000014
【図１３】
2017169668.tif 000015
【図１４】
2017169668.tif 000016
【図１５】
2017169668.tif 000017
【図１６】
2017169668.tif 000018
【図１７】
2017169668.tif 000019